【事件の表示】
　特許第２８２６５２１号「パチンコ機」の請求項１乃至３に係る特許に対する特許異議の申立てについて、次のとおり決定する。
【結　論】
　訂正を認める。
　特許第２８２６５２１号の請求項１に係る特許を維持する。
【理　由】
（１）手続の経緯
　特許第２８２６５２１号の請求項１乃至３に係る発明は、平成１年８月１日に出願した特願平１−１９７９７９号の一部を平成８年７月３１日に新たな特許出願としたものであって、平成１０年９月１１日にその特許の設定登録がなされたところ、上田　実より特許異議の申立てがなされ、平成１１年９月３日付けで取消理由通知がなされ、その指定期間内である平成１１年１１月２２日に訂正請求がなされたものである。
（２）訂正の適否についての判断
ア．訂正の内容　
　訂正事項ａ
　特許明細書の特許請求の範囲の請求項１に係る記載「可変表示装置を備えたパチンコ機において、前記可変表示装置において特定の表示態様が出現する頻度を変更する頻度変更手段を設けると共に、特定の入賞口に入賞した場合、前記頻度変更手段が作動するものであることを特徴とするパチンコ機」を、
「可変表示装置を備えたパチンコ機において、前記可変表示装置において特定の表示態様が出現する頻度をランダムに変更する頻度変更手段を設けると共に、特定の入賞口に入賞した場合、前記頻度変更手段が作動するものであることを特徴とするパチンコ機」と訂正する。
　訂正事項ｂ
　特許明細書の特許請求の範囲の請求項２に係る記載「可変表示装置を備えたパチンコ機において、前記可変表示装置において特定の表示態様が出現する頻度を変更する頻度変更手段を設けると共に、特定の入賞口への入賞個数が所定数以上に達した場合、前記頻度変更手段が作動するものであることを特徴とするパチンコ機」を、
削除する。
　訂正事項ｃ
　特許明細書の特許請求の範囲の請求項３に係る記載「前記特定の入賞口が、前記可変表示装置の始動口である請求項２に記載のパチンコ機」を、
削除する。
　訂正事項ｄ
　同明細書の第４頁第１１行乃至第１４行に記載の「本発明の請求項１に記載のパチンコ機は、可変表示装置を備えたものであって、前記可変表示装置において特定の表示態様が出現する頻度を変更する頻度変更手段を設けると共に、特定の入賞口に入賞した場合、前記頻度変更手段が作動するものであることを特徴とする」を、
「本発明の請求項１に記載のパチンコ機は、可変表示装置を備えたものであって、前記可変表示装置において特定の表示態様が出現する頻度をランダムに変更する頻度変更手段を設けると共に、特定の入賞口に入賞した場合、前記頻度変更手段が作動するものであることを特徴とする」と訂正する。
　訂正事項ｅ
　同明細書の第４頁第１６行乃至第１９行に記載の「本発明の請求項２に記載のパチンコ機は、可変表示装置を備えたものであって、前記可変表示装置において特定の表示態様が出現する頻度を変更する頻度変更手段を設けると共に、特定の入賞口への入賞個数が所定数以上に達した場合、前記頻度変更手段が作動するものであることを特徴とする」を、
削除する。
　訂正事項ｆ
　同明細書の第４頁第２０行乃至第２１行に記載の「請求項３に記載のパチンコ機は、請求項２に記載のものにおいて、前記特定の入賞口を前記可変表示装置の始動口としたものである」を、
削除する。
イ．訂正の目的の適否、新規事項の有無、及び拡張・変更の存否
　上記訂正事項ａは、「前記可変表示装置において特定の表示態様が出現する頻度を変更する頻度変更手段」をより下位概念である「前記可変表示装置において特定の表示態様が出現する頻度をランダムに変更する頻度変更手段」に限定するものであって、特許請求の範囲の減縮に該当し、上記訂正事項ｂ、ｃは、請求項２及び３を削除するものであって、特許請求の範囲の減縮に該当し、上記訂正事項ｄ〜ｆは、上記特許請求の範囲の訂正に整合させるためのものであって、明りょうでない記載の釈明に該当し、これらの訂正事項は、願書に添付した明細書又は図面に記載された事項の範囲内のものであって、実質的に特許請求の範囲を拡張又は変更するものではない。
ウ．独立特許要件の判断
（本件発明）
　本件の請求項１に係る発明は、平成１１年１１月２２日付け訂正請求書により訂正された訂正明細書の請求項１に記載される事項により特定されるとおりのものである（（２）ア．訂正事項ａを参照）。
（引用刊行物）
　訂正明細書の請求項１に係る発明（以下「本件発明」という。）に対して、当審が平成１１年９月３日付けの取消理由で引用した刊行物１〜３には、それぞれ以下のとおり記載されている。
　刊行物１（特開昭６４−６８２９０号公報）（甲第１号証）
「本発明は、パチンコ遊技機・・・に関し、詳しくは、入賞領域が形成された遊技盤に、複数の識別情報を可変表示可能な可変表示装置と、遊技者にとって有利となる第１の状態と遊技者にとって不利となる第２状態に変化自在な可変入賞装置とが配設されている弾球遊技機に関する。」（第２頁右上欄第１３行〜第１９行）
「特定識別情報に関連した情報が、情報設定手段により、複数の特定識別情報のうちから選択的に設定され、繰返し条件の成立に伴なって、可変入賞装置を一旦第２の状態とした後再び第１の状態とする動作をその特定識別情報に関連した情報に対応した回数だけ行なうことが可能になる。」（第３頁右上欄第４行〜第９行）
「図中、６１ａは第１の情報設定手段の一例である確率選択スイッチであり、６１ｂは、第２の情報設定手段の一例である確率選択スイッチである。・・・６３ａ、６３ｂはランプであり、前記確率選択スイッチ６１ａ、６１ｂのそれぞれの操作に対応して点灯するように構成されており、遊技者がいずれの確率選択スイッチを操作したかを点灯表示するためのものである。」（第４頁左上欄第１５行〜右上欄第６行）
「前記情報設定手段は、確率選択スイッチ６１ａ、６１ｂに限らず、たとえば、入賞装置５８ａ、５８ｂ（第１図参照）への入賞で選択してもよく」（第１１頁右下欄第７行〜第１０行）
　刊行物２（特開昭５８−１２６６８号公報）（甲第４号証）
「この発明は遊技者が弾発した打球が遊技部内で第１条件を達成した時別遊技が開始し、この別遊技が特定条件を達成した時、一定時間だけ特別遊技を継続させ、一定時間内での特別遊技中に特別条件を達成したとき一定時間の特別遊技終了後に再び一定時間だけ特別遊技を繰り返させるようにしたパチンコ遊技方法に関するもので、最初の特別遊技開始時から累積的に計数した特別変動入賞装置への入賞球総数で特別遊技を止めさせ、特定条件が達成した場合における特別変動入賞装置への入賞回数を適宜に設定することができるものである。」（第１頁右下欄第３行〜第１４行）
「次に、特別遊技の発生確率を電気的に調整する場合に付いて述べる。・・・
　しかし三個のカウンタの内、いずれか１つのカウンタ（例えば１０進カウンタ３９ａ）の例えばＬＳＢ、即ち重み１の出力を接続線６５ａで示すように、電源電位＋Ｖｃｃにプルアップして「１」に固定すると、残りの８−４−２ビットが”０１１”となる数値は１０進数「７」（０１１１）の外に「６」（０１１０）がある。即ち、実際にはカウンタ３９ａが「６」を出力しても「７」とするのであって、結局このカウンタ３９ａは「７」か「６」を出力すると「７」を出力しているとみなすことができる。したがってこのカウンタ３９ａが「７」を出力する確率は、他の力ウンタ３９ｂ、３９ｃの１０分の１に対し、５分の１となる。したがって各カウンタ３９ａ、３９ｂ、３９ｃがすべて「７」が揃う確率は１／５×１／１０×１／１０＝１／５００となり、特別遊技の発生確率が高くなる。全く同様にして接続線６５ｂで二個の１０進カウンタ３９ａ、３９ｂのＬＳＢを電源電位＋Ｖｃｃにプルアップして「１」に固定すれば、各カウンタに「７」の揃う確率は１／５×１／５×１／１０＝１／２５０となって２５０分の１となり、また各カウンタ３９ａ、３９ｂ、３９ｃともに接続線６５ｃでＬＳＢをプルアップすれば１／５×１／５×１／５＝１／１２５となって別遊技において特定条件が達成するのは１２５回中１回となる。勿論この確率調整はいずれのビット出力に付いても行うことができるし、また電源電位にプルアップすることに代えていずれかのビットをアース電位にプルダウンして、即ちバイナリ「０」に固定することにより行うこともできる。
　上記した特別遊技、第1利益遊技、第2利益遊技の電気的作動は-実施例であって、考えられる電子的他の手段によって自由に回路設計することができる。」（第１０頁左上欄第２行〜左下欄第６行）
　刊行物３（特開昭６３−１１５５８０号公報）（甲第５号証）
「本発明はパチンコ遊技機に関し、特に、パチンコ遊技機の遊技盤に配設され、複数の識別情報を可変表示可能な可変表示装置と、遊技者にとって有利な第１の状態と、不利な第２の状態とに変化する可変入賞球装置と、前記可変入賞球装置を第１の状態に駆動する駆動制御手段を備えたパチンコ遊技機に関する。」（第２頁左下欄第４行〜第１０行）
「第５図には本発明に係るパチンコ遊技機の入賞球装置の第3の実施例の概略が示されており、・・・大当り表示として３つの発光ダイオード６６ａ、６６ｂ、６６ｃを配設し、第１の大当たり表示の発光ダイオード６６ａが点灯しているときの、前記デジタル表示部材３７の予め定められた識別情報が例えば「７」に設定され、権利発生のための確率が１／１０に設定され、また第２の大当り表示の発光ダイオード６６ｂが点灯しているときの前記デジタル表示部材３７の予め定められた識別情報が例えば「３」、「７」に設定され、権利発生のための確率が２／１０に設定され、また第３の大当り表示の発光ダイオード６６ｃが点灯しているときの、前記デジタル表示部材３７の予め定められた識別情報が例えば「３」、「５」、「７」に設定され、権利発生のための確率が３／１０に設定されていることを除いては、前述せる第２の実施例と同様の構成を有するものである。」（第６頁右下欄第１３行〜第７頁左上欄第１４行)
「第１実施例の場合にはデジタル表示部材３７ａ〜３７ｃの可変表示位置がデジタル表示部材３７ａーデジタル表示部材３７ｂーデジタル表示部材３７ｃと移動し、且つ権利発生の確率も順次変更されるものである。また第２実施例の場合には大当たり数字表示器６５ａ〜６５ｊの点灯位置を移動させ、且つ権利発生の確率も順次変更されるものである。更に第３実施例の場合には、大当たり表示としての３つの発光ダイオード６６ａ、６６ｂ、６６ｃの点灯位置を移動させ、前述せる第１及び第２実施例と同様に権利発生の確率も変更されるものである。」（第９頁左下欄第１３行〜右下欄第５行）
（対比・判断）
　本件発明と、上記刊行物１〜３に記載された発明とを対比すると、これらの刊行物に記載の発明は、本件発明を特定する事項である「前記可変表示装置において特定の表示態様が出現する頻度をランダムに変更する頻度変更手段」の構成を備えておらず、また、これを示唆する記載も認められない。本件発明は、上記構成を備えることにより、可変表示装置において特定の表示態様が出現する頻度の変更結果を遊技者に予想不可能とすることができ、これにより、特定の入賞口に入賞する毎に、可変表示装置において特定の表示態様が出現する頻度の変更がどのようになるのかを期待させ、遊技者に遊技上の新たな興趣を与えることができるという特許異議意見書で主張する顕著な効果を奏するものであるから、本件発明が、上記刊行物１〜３に記載された発明でないことは明らかであり、かつこれらの刊行物記載の発明に基づいて当業者が容易に発明をすることができたものとすることはできない。
　したがって、本件発明は、特許出願の際、独立して特許を受けることができないとすることはできない。
エ．むすび
　以上のとおりであるから、上記訂正請求は、特許法等の一部を改正する法律（平成６年法律第１１６号）附則第６条第１項の規定によりなお従前の例によるとされる、特許法第１２０条の４第２項の規定に適合し、同条第３項で準用する第１２６条第２−４項の規定に適合するので、上記訂正を認める。
（３）特許異議申立てについての判断
ア．本件発明
　本件発明は、平成１１年１１月２２日付け訂正請求書により訂正された訂正明細書の請求項１に記載される事項により特定されるとおりのものである（（２）ア．訂正事項ａを参照）。
イ．申立ての理由の概要
　申立人は、甲第１号証（特開昭６４−６８２９０号公報）、甲第２号証（特開昭６４−４９５９０号公報）、甲第３号証（特開平１−９１８８３号公報）、甲第４号証（特開昭５８−１２６６８号公報）、甲第５号証（特開昭６３−１１５５８０号公報）、甲第６号証（特開昭６３−２７７０７５号公報）を提出して、本件発明は、甲第１号証に開示され、甲第１〜６号証に記載された発明に基づいて、当業者が容易に発明をすることができたものであるから、特許法第２９条第１項第３号又は同法第２９条第２項の規定により特許を受けることができないものであり、特許法第１１３条第１項第２号の規定により特許を取り消されるべきと主張している。
　甲第１、４、５号証はそれぞれ上記刊行物１、２、３であり、甲第２、３、６号証にはそれぞれ以下のとおり記載されている。
（甲第２号証）
「打球が特定入賞口に入ると可動球受部材が打球を受け入れない第１状態から打球を受け入れ易い第２状態に変換する。そして、打球が特別入賞口に入ることにより特別遊技が開始されると、確率制御部材が作動して特別入賞口に打球が入る確率を制御する。したがって、サイクルの変更を行い易くする一方、無制限に特別入賞口に入賞させるわけではないので、パチンコ店の利益と遊技者の利益との調和を計りながら健全なパチンコ遊技を可能ならしめる。」（第２頁右上欄第２０行〜左下欄第９行）
（甲第３号証）
「本発明はパチンコ機に係り、特に、特定入賞口への入賞に応じてゲーム装置で実行されたゲーム結果に基づき、変動入賞装置を各種態様で変動させることによって、入賞率の高い状態を一定時間出現させることができるとともに、さらに別の一定条件が満たされた場合には、一旦出現したこの入賞率の高い状態をさらに継続させ得るように構成した新規なパチンコ機に関する。」（第２頁左上欄第６行〜第１３行）
「確率制御回路は、ゲーム結果としての特定態様などが発生する確率を、電気的に変化させることを目的とする回路であって、本実施例ゲーム制御部１００では、スロットゲーム装置において数字表示が「７７」の組合せで停止する確率を３段階に変化できるようになっている。」(第９頁左下欄第２行〜第７行)
「本実施例ゲーム装置制御部１００における前記確率の選択は、１０進カウンタ１３２および１０進カウンタ１２２の各出力端子ＱD が接続された端子板１６０へ、ジャンパー線１６１または１６２を選択的に挿入することによって行われる。ジャンパー線１６１を用いれば前述の通り特定態様が発生する確率が１／２５０となり、また、ジャンパー線１６２を用いればその確率が１／１２５となる。」(第９頁右下欄第１０行〜第１８行)
（甲第６号証）
「可変表示装置の作動結果としての表示記号の組合せが権利を発生させるものであるかを極めて容易に視認させることができ、かつその表示が興趣あるものとなるパチンコ遊技機の可変表示装置を提供することを目的とする。」（第２頁左上欄第５行〜第９行）」
「この発明は、上記問題点を解決するため、遊技盤の前面側に一部突出した状態で取り付けられる可変表示装置の構成基枠の上部に鎧部が前方に突出した状態で設けられ、該鎧部の下方に複数のセグメントにより可変表示可能な表示部を複数備えた可変表示器が前記鎧部の前端部より奥へ引込んだ状態で設置され、上記表示部を構成する各セグメントには発光色の異なる２種以上の発光素子が設置され、制御装置により上記表示部の発光色を該表示部への表示の態様に応じて変化させるようにした構成とした。」（第２頁左上欄第１１行〜右上欄第１行）
「可変表示器の表示部の発光色が表示部への表示態様に応じて異なった色に表示されるので、遊技者にとって、権利発生の有無が容易に判別し易くなり」（第１１頁左下欄第１９行〜右上欄第２行）
ウ．判断
　上記甲１、４、５号証（当審で引用した刊行物１〜３）に記載された発明は、本件発明を特定する事項である「前記可変表示装置において特定の表示態様が出現する頻度をランダムに変更する頻度変更手段」の構成を備えていないことは、上記（２）ウで述べたとおりであって、また、上記甲第２、３、６号証に記載された発明も、上記構成を備えておらず、これを示唆する記載も認められないから、本件発明は、これら甲各号証に記載される発明に基づいて、当業者が容易に発明をすることができたものとすることはできない。
　エ．むすび
　以上のとおりであるから、特許異議申立ての理由及び証拠によっては、本件発明の特許を取り消すことはできない。
　また、他に本件発明の特許を取り消すべき理由を発見しない。
　よって、結論のとおり決定する。
【異議決定日】
平成１２年２月２９日（２０００．２．２９）
【訂正の要旨】
　　訂正の要旨
　特許第２８２６５２１号発明の明細書を次のとおり訂正する。
　訂正事項ａ
　特許明細書の特許請求の範囲の請求項１に係る記載「可変表示装置を備えたパチンコ機において、前記可変表示装置において特定の表示態様が出現する頻度を変更する頻度変更手段を設けると共に、特定の入賞口に入賞した場合、前記頻度変更手段が作動するものであることを特徴とするパチンコ機」を特許請求の範囲の減縮を目的として、
「可変表示装置を備えたパチンコ機において、前記可変表示装置において特定の表示態様が出現する頻度をランダムに変更する頻度変更手段を設けると共に、特定の入賞口に入賞した場合、前記頻度変更手段が作動するものであることを特徴とするパチンコ機」と訂正する。
　訂正事項ｂ
　特許明細書の特許請求の範囲の請求項２に係る記載「可変表示装置を備えたパチンコ機において前記可変表示装置において、特定の表示態様が出現する頻度を変更する頻度変更手段を設けると共に、特定の入賞口への入賞個数が所定数以上に達した場合、前記頻度変更手段が作動するものであることを特徴とするパチンコ機」を特許請求の範囲の減縮を目的として、
削除する。
　訂正事項ｃ
　特許明細書の特許請求の範囲の請求項３に係る記載「前記特定の入賞口が、前記可変表示装置の始動口である請求項２に記載のパチンコ機」を特許請求の範囲の減縮を目的として、
削除する。
　訂正事項ｄ
　同明細書の第４頁第１１行乃至第１４行に記載の「本発明の請求項１に記載のパチンコ機は、可変表示装置を備えたものであって、前記可変表示装置において特定の表示態様が出現する頻度を変更する頻度変更手段を設けると共に、特定の入賞口に入賞した場合、前記頻度変更手段が作動するものであることを特徴とする」を明りょうでない記載の釈明を目的として、
「本発明の請求項１に記載のパチンコ機は、可変表示装置を備えたものであって、前記可変表示装置において特定の表示態様が出現する頻度をランダムに変更する頻度変更手段を設けると共に、特定の入賞口に入賞した場合、前記頻度変更手段が作動するものであることを特徴とする」と訂正する。
　訂正事項ｅ
　同明細書の第４頁第１６行乃至第１９行に記載の「本発明の請求項２に記載のパチンコ機は、可変表示装置を備えたものであって、前記可変表示装置において特定の表示態様が出現する頻度を変更する頻度変更手段を設けると共に、特定の入賞口への入賞個数が所定数以上に達した場合、前記頻度変更手段が作動するものであることを特徴とする」を明りょうでない記載の釈明を目的として、
削除する。
　訂正事項ｆ
　同明細書の第４頁第２０行乃至第２１行に記載の「請求項３に記載のパチンコ機は、請求項２に記載のものにおいて、前記特定の入賞口を前記可変表示装置の始動口としたものである」を明りょうでない記載の釈明を目的として、
削除する。
（５４）【発明の名称】
パチンコ機
（５７）【特許請求の範囲】
　　【請求項１】　可変表示装置を備えたパチンコ機において、前記可変表示装置において特定の表示態様が出現する頻度を
ランダムに
【発明の詳細な説明】
　　　【０００１】
　　【発明の属する技術分野】
　本発明は、特定の遊技状態の成立により、遊技者に有利となる特別遊技状態に移行する当たり機能を有すると共に、当り機能の出現頻度が可変であるパチンコ機に関するものである。
　　　【０００２】
　　【従来の技術】
　従来、センター役物の基体の中央付近に多数のドットマトリックス発光体を有する複数の図柄表示器を横一列にそれぞれ並設した入賞表示装置を備え、図柄表示器の図柄を遊技球の始動入賞口への入賞によりそれぞれ変化させた後、停止表示するようにしたパチンコ機が知られている。
　　　【０００３】
　このようなパチンコ機は、複数の図柄表示器にそれぞれ停止表示された図柄の組み合わせが特定の組み合わせとなる場合、例えば、大入賞口を所定の周期で所定回数の範囲内で繰り返し開放するというように、遊技者に有利となる特別遊技状態に移行する大当たり機能を備えている。
　　　【０００４】
　さらに、このような上記の大当たり機能を有するパチンコ機において、大当たり終了後、当り確率をアップさせるものが提案されている。
　　　【０００５】
　　【発明が解決しようとする課題】
　本発明の目的は、当りの抽選結果とは別に、当り発生の頻度を変化させることが可能であるパチンコ機を提供することにある。
　　　【０００６】
　　【課題を解決するための手段】
　本発明の請求項１に記載のパチンコ機は、可変表示装置を備えたものであって、前記可変表示装置において特定の表示態様が出現する頻度を
ランダムに
　　　【０００７】
　　　【０００８】
　　　【０００９】
　　【発明の実施の形態】
　以下、本発明の実施の形態を図面に基づいて詳細に説明する。
　図１において、１はパチンコ機の入賞表示装置となるセンター役物であり、センター役物１のベースプレート２の中央付近には、図２に示すように、凹部３が形成され、凹部３には窓孔４が開口して設けられ、ベースプレート２の窓孔４には透明部材からなるレンズカバー５が設けられている。
　　　【００１０】
　ベースプレート２の凹部３の上方には遊技球の入賞部６が形成され、ベースプレート２の凹部３の下方には複数の第１のＬＥＤ表示灯７が横一列にそれぞれ並設され、第１のＬＥＤ表示灯７の下部には複数の第２のＬＥＤ表示灯８が横一列にそれぞれ並設され、第２のＬＥＤ表示灯８の下部には複数の第３のＬＥＤ表示灯９が横一列にそれぞれ並設されている。
　　　【００１１】
　センター役物１のベースプレート２の裏側には、図２に示すように、扇形の支持体１０が揺動自在に設けられ、支持体１０の外周縁１０ａの中央付近にはレンズカバー５に臨んで第１の図柄表示器１１が設けられ、第１の図柄表示器１１の上部には第２の図柄表示器１２が設けられ、第１の図柄表示器１１の下部には第３の図柄表示器１３が設けられている。
　　　【００１２】
　第１の図柄表示器１１の前面には、図３に示すように、多数のドットマトリックス発光体１４が配設され、ドットマトリックス発光体１４は６行５列を１組として４つの区域に分けられており、第１の図柄表示器１１には６行５列のドットマトリックス発光体１４よりなる第１表示部１５，第２表示部１６，第３表示部１７及び第４表示部１８が横方向に間隔を置いてそれぞれ設けられ、第１の図柄表示器１１の第１表示部１５，第２表示部１６，第３表示部１７及び第４表示部１８は各区画毎にそれぞれ変化する図柄の表示を行うようになっている。
　　　【００１３】
　第２の図柄表示器１２の前面には、図４に示すように、多数のドットマトリックス発光体１９が配設され、ドットマトリックス発光体１９は６行５列を１組として３つの区域に分けられており、第２の図柄表示器１２には６行５列のドットマトリックス発光体１９よりなる第１表示部２０，第２表示部２１及び第３表示部２２が横方向に間隔を置いてそれぞれ設けられ、第２の図柄表示器１２の第１表示部２０，第２表示部２１及び第３表示部２２は各区画毎にそれぞれ変化する図柄の表示を行うようになっている。
　　　【００１４】
　第３の図柄表示器１３の前面には、図５に示すように、多数のドットマトリックス発光体２３が配設され、ドットマトリックス発光体２３は６行５列を１組として２つの区域に分けられており、第３の図柄表示器１３には６行５列のドットマトリックス発光体２３よりなる第１表示部２４及び第２表示部２５が横方向に間隔を置いてそれぞれ設けられ、第３の図柄表示器１３の第１表示部２４及び第２表示部２５は各区画毎にそれぞれ変化する図柄の表示を行うようになっている。
　　　【００１５】
　支持体１０には、図２に示すように、外周縁１０ａに沿って円弧状の誘導孔２６が設けられ、支持体１０の誘導孔２６には支持ピン２７が係合され、支持体１０のコーナー部１０ｂには任意の設定された条件を満たすと図柄表示器の区画数を別の区画数に変化させる表示切換手段となるモータＭの駆動軸２８が連結され、モータＭは第１の図柄表示器１１を支持体１０を介して第２の図柄表示器１２あるいは第３の図柄表示器１３へと切換えられるようになっている。
　　　【００１６】
　なお、第１の図柄表示器１１、第２の図柄表示器１２及び第３の図柄表示器１３により、請求項１に記載の可変表示装置が構成されている。
　　　【００１７】
　また、第１の図柄表示器１１、第２の図柄表示器１２及び第３の図柄表示器１３をセンター役物１のレンズカバー５に対して切り換える表示切換手段により、請求項１並びに請求項２に記載の確率変更手段が構成されている。
　　　【００１８】
　図６は第１の図柄表示器１１から第２の図柄表示器１２に移行し、次に第２の図柄表示装置１２から第３の図柄表示器１３へ移行するパターンを示すものである。
　　　【００１９】
　まず、パチンコ機の電源を投入すると、第１の図柄表示器１１が、図１に示すように、センター役物１のベースプレート２のレンズカバー５に臨むと共に、支持ピン２７が、図２に示すように、支持体１０の誘導孔２６の中央に位置し、遊技者がパチンコ機の遊技盤面上に遊技球を弾発して遊技を行い、第１の図柄表示器１１は第１表示部１５，第２表示部１６，第３表示部１７及び第４表示部１８により図柄を表示し、第１の図柄表示器１１の第１表示部１５，第２表示部１６，第３表示部１７及び第４表示部１８の図柄の特定の組合せによる大当りの確率が１／２５０で５通りとなる。
　　　【００２０】
　また、遊技中において、ある設定された条件を満たすと、モータＭを駆動し、モータＭの駆動軸１８が支持体１０を図２の図面矢印ａ方向に回動し、第１の図柄表示器１１がモータＭにより第２の図柄表示器１２へと移行し、第２の図柄表示器１２が、図７に示すように、センター役物１のベースプレート２のレンズカバー５に臨むと共に、支持ピン２７が、図８に示すように、支持体１０の誘導孔２６の上端２６ａに位置し、第２の図柄表示器１２は第１表示部２０，第２表示部２１及び第３表示部２２により図柄を表示し、第２の図柄表示器１２の第１表示部２０，第２表示部２１及び第３表示部２２の図柄の特定の組合せによる大当りの確率が１／１００で３通りとなる。
　　　【００２１】
　次いで、第２の図柄表示器１２へ移行して図６に示す時間ｔ１が経過すると、モータＭを駆動し、モータＭの駆動軸１８が支持体１０を図２の図面矢印ｂ方向に回動し、第２の図柄表示器１２がモータＭにより第１の図柄表示器１１へと移行し、第１の図柄表示器１１がセンター役物１のベースプレート２のレンズカバー５に臨む。
　　　【００２２】
　さらに、遊技中において、ある設定された別の条件を満たすと、モータＭを駆動し、モータＭの駆動軸１８が支持体１０を図２の図面矢印ｂ方向に回動し、第１の図柄表示器１１がモータＭにより第３の図柄表示器１３へと移行し、第３の図柄表示器１３が、図９に示すように、センター役物１のベースプレート２のレンズカバー５に臨むと共に、支持ピン２７が、図１０に示すように、支持体１０の誘導孔２６の下端２６ｂに位置し、第３の図柄表示器１３は第１表示部２４及び第２表示部２５により図柄を表示し、第３の図柄表示器１３の第１表示部２４及び第２表示部２５の図柄の特定の組合せによる大当りの確率が１／２０で１通りとなる。
　　　【００２３】
　次いで、第３の図柄表示器１３へ移行して図６に示す時間ｔ２が経過すると、モータＭを駆動し、モータＭの駆動軸１８が支持体１０を図２の図面矢印ａ方向に回動し、第３の図柄表示器１３がモータＭにより第１の図柄表示器１１へと移行し、第１の図柄表示器１１がセンター役物１のベースプレート２のレンズカバー５に臨む。
　　　【００２４】
　図６における、ある設定された条件の一例としては、遊技中において、遊技球が特定のチャッカーに入賞すると、第１の図柄表示器１１から第２の図柄表示器１２へと移行し、遊技中において、遊技球の始動入賞口への入賞数が一定個数以上にオーバーフローすると、第１の図柄表示器１１から第２の図柄表示器１２へと移行する。
　　　【００２５】
　また、遊技中において、第１の図柄表示部１１の第１表示部１５，第２表示部１６，第３表示部１７及び第４表示部１８に例えば数字の７のような特定の図柄が横一列に連続して３つ並ぶと、第１の図柄表示器１１から第３の図柄表示器１３へと移行する。
　　　【００２６】
　さらに、遊技中において、遊技球が特定のチャッカーに入賞すると、センター役物１のベースプレート２の第１のＬＥＤ表示灯７，第２のＬＥＤ表示灯８及び第３のＬＥＤ表示灯９をランダムに点滅し、一定時間が経過した後、第１のＬＥＤ表示灯７，第２のＬＥＤ表示灯８及び第３のＬＥＤ表示灯９の点滅を停止し、第１のＬＥＤ表示灯７が横一列に点灯すると、第１の図柄表示器１１のまま移行せず、第２のＬＥＤ表示灯８が横一列に点灯すると、第１の図柄表示器１１から第２の図柄表示器１２へと移行し、第３のＬＥＤ表示灯９が横一列に点灯すると、第１の図柄表示器１１から第３の図柄表示器１３へと移行する。
　　　【００２７】
　図１１乃至図１４は、第１の図柄表示器１１から第２の図柄表示器１２及び第３の図柄表示器１３に移行する別のパターンを示すものである。
　　　【００２８】
　まず始めに、パチンコ機の電源を投入すると、図１１に示すように、第１の図柄表示器１１から第２の図柄表示器１２あるいは第３の図柄表示器１３へは全く移行しない第１のパターンとして設定しておく。
　　　【００２９】
　また、パチンコ機の電源を投入し、遊技中において、ある設定された条件を満たすと、図１２に示すように、第１の図柄表示器１１がモータＭにより第２の図柄表示器１２へと移行し、第２の図柄表示器１２へ移行して時間ｔ３が経過した後、第２の図柄表示器１２がモータＭにより第１の図柄表示器１１へと移行する第２のパターンとして設定しておく。
　　　【００３０】
　また、パチンコ機の電源を投入し、遊技中において、ある設定された条件を満たすと、図１３に示すように、第１の図柄表示器１１がモータＭにより第３の図柄表示器１３へと移行し、第３の図柄表示器１３へ移行して時間ｔ４が経過した後、第３の図柄表示器１３がモータＭにより第１の図柄表示器１１へと移行し、次いで、ある設定された別の条件を満たすと、第１の図柄表示器１１がモータＭにより第３の図柄表示器１３へと移行し、第３の図柄表示器１３へ移行して時間ｔ５が経過した後、第３の図柄表示器１３がモータＭにより第１の図柄表示器１１へと移行する第３のパターンとして設定しておく。
　　　【００３１】
　さらに、パチンコ機の電源を投入し、遊技中において、ある設定された条件を満たすと、図１４に示すように、第１の図柄表示器１１がモータＭにより第２の図柄表示器１２へと移行し、第２の図柄表示器１２へ移行して時間ｔ６が経過した後、第２の図柄表示器１２がモータＭにより第３の図柄表示器１３へと移行し、第３の図柄表示器１３へ移行して時間ｔ７が経過した後、第３の図柄表示器１３から第１の図柄表示器１１へと移行する第４のパターンとして設定しておく。
　　　【００３２】
　第１のパターン，第２のパターン，第３のパターン及び第４のパターンをランダムに選択するようにする。
　　　【００３３】
　しかも、第４のパターンを予め設定していても、第４のパターンが遊技者に読まれないように、第２の図柄表示器１２へ移行している時間ｔ６及び第３の図柄表示器１３へ移行している時間ｔ７は、図１５（ａ），図１５（ｂ）及び図１５（ｃ）に示すように、その長さが毎回異なるようになっている。
　　　【００３４】
　図１６は、本発明の他の実施の形態を示し、センター役物１は図１に示す実施形態と同様のものであり、センター役物１のベースプレート２の凹部３下方の第１のＬＥＤ表示灯７，第２のＬＥＤ表示灯８及び第３のＬＥＤ表示灯９はそれぞれ連続回数表示灯とされている。
　　　【００３５】
　センター役物１の下方には、図１６に示すように、下部入賞装置３０が設けられ、下部入賞装置３０のベースプレート３１には大入賞口３２を有する開閉板３３が設けられ、開閉板３３の両側には始動入賞口３４を有する表示灯３５，３５がそれぞれ設けられている。
　　　【００３６】
　次に、この実施形態の作用について説明する。
　　　【００３７】
　まず、パチンコ機の電源を投入すると、第１の図柄表示器１１が図１に示すセンター役物１のベースプレート２のレンズカバー５に臨み、遊技者がパチンコ機の遊技盤面上に遊技球を弾発して遊技を行い、第１の図柄表示器１１は第１表示部１５，第２表示部１６，第３表示部１７及び第４表示部１８により図柄を表示し、第１の図柄表示器１１の第１表示部１５，第２表示部１６，第３表示部１７及び第４表示部１８の図柄の特定の組合せによる大当りの確率が１／２５０で１０通りとなる。
　　　【００３８】
　また、遊技中において、遊技球が遊技盤面上の始動入賞部あるいは入賞装置３０の始動入賞口３４へ入賞すると、第１の図柄表示器１１の第１表示部１５，第２表示部１６，第３表示部１７及び第４表示部１８がそれぞれ変動する。
　　　【００３９】
　その後、第１の図柄表示器１１の第１表示部１５，第２表示部１６，第３表示部１７及び第４表示部１８の変動が停止し、ある設定された条件として第１表示部１５，第２表示部１６，第３表示部１７及び第４表示部１８に所定の図柄が得られると大当りとなり、下部入賞装置３０の開閉板３３を最高１０回まで拡開すると共に、下部入賞装置３０の大入賞口３２を開放し、第１のＬＥＤ表示灯７が開閉板３３の拡開回数及び大入賞口３２への入賞球の個数を表示し、第１表示部１５，第２表示部１６，第３表示部１７及び第４表示部１８の大当りと同時に、第１の図柄表示器１１がモータＭにより第２の図柄表示器１２へと移行し、第２の図柄表示器１２が図７に示すセンター役物１のベースプレート２のレンズカバー５に臨み、第２の図柄表示器１２は第１表示部２０，第２表示部２１及び第３表示部２２により図柄を表示し、第２の図柄表示器１２の第１表示部２０，第２表示部２１及び第３表示部２２の図柄の特定の組合せによる大当りの確率が１／５０で５通りとなる。
　　　【００４０】
　次いで、遊技球が遊技盤面上の始動入賞部あるいは入賞装置３０の始動入賞口３４へ入賞すると、第２の図柄表示器１２の第１表示部２０，第２表示部２１及び第３表示部２２がそれぞれ変動する。
　　　【００４１】
　その後、第２の図柄表示器１２の第１表示部２０，第２表示部２１及び第３表示部２２の変動が停止し、ある設定された条件として第１表示部２０，第２表示部２１及び第３表示部２２に所定の図柄が得られると大当りとなり、下部入賞装置３０の開閉板３３を最高１０回まで拡開すると共に、下部入賞装置３０の大入賞口３２を開放し、第２のＬＥＤ表示灯８が開閉板３３の拡開回数及び大入賞口３２への入賞球の個数を表示し、第１表示部２０，第２表示部２１及び第３表示部２２の大当りと同時に、第２の図柄表示器１２がモータＭにより第３の図柄表示器１３へと移行し、第３の図柄表示器１３が図９に示すセンター役物１のベースプレート２のレンズカバー５に臨み、第３の図柄表示器１３は第１表示部２４及び第２表示部２５により図柄を表示し、第３の図柄表示器１３の第１表示部２４及び第２表示部２５の図柄の特定の組合せによる大当りの確率が１／２０で１通りとなる。
　　　【００４２】
　但し、第１の図柄表示器１１が大当りのモードで、開閉板３３の拡開動作中であっても、第２の図柄表示器１２の大当りのモードでの、開閉板３３の拡開動作に移行し、開閉板３３の拡開回数が第１回目から作動するようになっている。
　　　【００４３】
　次いで、遊技球が遊技盤面上の始動入賞部あるいは入賞装置３０の始動入賞口３４へ入賞すると、第３の図柄表示器１３の第１表示部２４及び第２表示部２５がそれぞれ変動する。
　　　【００４４】
　その後、第３の図柄表示器１３の第１表示部２４及び第２表示部２５の変動が停止し、ある設定された条件として第１表示部２４及び第２表示部２５に所定の図柄が得られると大当りとなり、下部入賞装置３０の開閉板３３を最高１０回まで拡開すると共に、下部入賞装置３０の大入賞口３２を開放し、第３のＬＥＤ表示灯９が開閉板３３の拡開回数及び大入賞口３２への入賞球の個数を表示する。
　　　【００４５】
　但し、第２の図柄表示器１２が大当りのモードで、下部入賞装置３０の開閉板３３の拡開動作中であっても、第３の図柄表示器１３の大当りのモードでの、開閉板３３の拡開動作に移行し、開閉板３３の拡開回数が第１回目から作動するようになっている。
　　　【００４６】
　第３の図柄表示器１３の大当りモードにおいて、下部入賞装置３０の開閉板３３の拡開動作が終了すると、第３の図柄表示器１３がモータＭにより第１の図柄表示器１１へと移行し、第１の図柄表示器１１がセンター役物１のベースプレート２のレンズカバー５に臨む。
　　　【００４７】
　第１の図柄表示器１１，第２の図柄表示器１２及び第３の図柄表示器１３の３回の大当りで得られる賞品球の差引き出玉は平均２０００個となるように、大当りの確率及び始動入賞口への１時間当りの入賞個数のベース値が設定されている。
　　　【００４８】
　図１７は、本発明の別の実施の形態の入賞表示装置を備えたパチンコ機の概略ブロック図を示し、３６は確率切換時検出手段であり、確率切換時検出手段３６の特定入賞球検出スイッチ３７及びタイマー３８が表示切換手段としての確率切換手段３９の駆動表示体数切換手段４０にそれぞれ連絡され、駆動表示体数切換手段４０が多数のドットマトリックス発光体を有する図柄表示器４１の第１表示体４２，第２表示体４３，第３表示体４４及び第４表示体４５にそれぞれ連絡されている。
　　　【００４９】
　図柄表示器４１の第１表示体４２，第２表示体４３，第３表示体４４及び第４表示体４５はそれぞれ当り判定手段４６に連絡され、当り判定手段４６が入賞口開放態様設定手段４７を介して入賞口開放手段４８に連絡され、当り判定手段４６には図柄表示器４１の起動停止手段４９の始動入賞球手段５０が連絡され、始動入賞球手段５０は図柄表示器４１に連絡されている。
　　　【００５０】
　次に、この実施形態の作用について説明する。
　　　【００５１】
　遊技球が遊技盤面上の特定の入賞口に入賞すると、確率切換時検出手段３６の特定入賞球検出スイッチ３７がＯＮとなり、確率切換手段３９の駆動表示体数切換手段４０が特定入賞球検出スイッチ３７によって作動すると共に、駆動表示体数切換手段４０は確率切換時検出手段３６のタイマー３８によって予め定められた時間毎に作動し、図柄表示器４１の第１表示体４２，第２表示体４３，第３表示体４４及び第４表示体４５の中から駆動されるものを駆動表示体数切換手段４０によって設定する。
　　　【００５２】
　図柄表示器４１の第１表示体４２及び第２表示体４３が表示可能となり、遊技球が遊技盤面上の始動入賞口に入賞すると、起動停止手段４９の始動入賞球検出手段５０が作動し、図柄表示器４１の第１表示体４２及び第２表示体４３の表示がそれぞれ変動する。
　　　【００５３】
　その後、図柄表示器４１の第１表示体４２及び第２表示体４３の変動が始動入賞球検出手段５０によって停止すると、当り判定手段４６は第１表示体４２及び第２表示体４３の図柄がある設定された条件のものか否かを判定する。
　　　【００５４】
　第１表示体４２及び第２表示体４３の図柄が当り判定手段４６によってある設定された条件のものである大当りと判定すると、入賞口開放態様設定手段４７が入賞口開放手段４８を作動し、入賞口開放手段４８が例えば大入賞口を３０秒間開放し、第１表示体４２及び第２表示体４３の図柄が当り判定手段４６によってある設定された条件以外のものである小当りと判定すると、入賞口開放態様設定手段４７が入賞口開放手段４８を作動し、入賞口開放手段４８が例えば大入賞口を１秒間だけ開放する。
　　　【００５５】
　また、図柄表示器４１の第１表示体４２，第２表示体４３及び第３表示体４４が表示可能となり、遊技球が遊技盤面上の始動入賞口に入賞すると、起動停止手段４９の始動入賞球検出手段５０が作動し、図柄表示器４１の第１表示体４２，第２表示体４３及び第３表示体４４の表示がそれぞれ変動する。
　　　【００５６】
　その後、図柄表示器４１の第１表示体４２，第２表示体４３及び第３表示体４４の変動が始動入賞球検出手段５０によって停止すると、当り判定手段４６は第１表示体４２，第２表示体４３及び第３表示体４４の図柄がある設定された条件のものか否かを判定する。
　　　【００５７】
　第１表示体４２，第２表示体４３及び第３表示体４４の図柄が当り判定手段４６によってある設定された条件のものである大当りと判定すると、入賞口開放態様設定手段４７が入賞口開放手段４８を作動し、入賞口開放手段４８が、例えば、大入賞口を３０秒間開放し、第１表示体４２，第２表示体４３及び第３表示体４４の図柄が当り判定手段４６によってある設定された条件以外のものである小当りと判定すると、入賞口開放態様設定手段４７が入賞口開放手段４８を作動し、入賞口開放手段４８が例えば大入賞口を１秒間だけ開放する。
　　　【００５８】
　さらに、図柄表示器４１の第１表示体４２，第２表示体４３，第３表示体４４及び第４表示体４５が表示可能となり、遊技球が遊技盤面上の始動入賞口に入賞すると、起動停止手段４９の始動入賞球検出手段５０が作動し、図柄表示器４１の第１表示体４２，第２表示体４３，第３表示体４４及び第４表示体４５の表示がそれぞれ変動する。
　　　【００５９】
　その後、図柄表示器４１の第１表示体４２，第２表示体４３，第３表示体４４及び第４表示体４５の変動が始動入賞球検出手段５０によって停止すると、当り判定手段４６は第１表示体４２，第２表示体４３，第３表示体４４及び第４表示体４５の図柄がある設定された条件のものか否かを判定する。
　　　【００６０】
　第１表示体４２，第２表示体４３，第３表示体４４及び第４表示体４５の図柄が当り判定手段４６によってある設定された条件のものである大当りと判定すると、入賞口開放態様設定手段４７が入賞口開放手段４８を作動し、入賞口開放手段４８が例えば大入賞口を３０秒間開放し、第１表示体４２，第２表示体４３，第３表示体４４及び第４表示体４５の図柄が当り判定手段４６によってある設定された条件以外のものである小当りと判定すると、入賞口開放態様設定手段４７が入賞口開放手段４８を作動し、入賞口開放手段４８が例えば大入賞口を１秒間だけ開放する。
　　　【００６１】
　なお、図１及び図１６に示す実施形態においては、第１の図柄表示器，第２の図柄表示器及び第３の図柄表示器をモータにより移行するようにしたが、１つの図柄表示器に多数のドットマトリックス発光体を配設し、図柄表示器の図柄が任意の設定された条件を満たすことにより、図柄表示器を移行することなく、図柄表示器の区画数を表示切換手段によって別の区画数に変化させることも可能である。
　　　【００６２】
　本実施形態においては、図柄表示器をドットマトリックスＬＥＤで構成したが、この他複数個のセグメントＬＥＤ，複数個の円筒状回転表示体もしくは複数個の円柱状回転表示体等を用い、所定の条件成立時には駆動（起動）されるセグメントＬＥＤ，回転表示体数を切替える構成としてもよい。
　　　【００６３】
　また、「所定の条件」，「ある任意の設定された条件」は、遊技盤面上に複数個の特定入賞口を設け、Ａ特定入賞口に入賞あったときに区画数（駆動される図柄表示数）３個、Ｂ特定入賞口に入賞あったとき区画数２個、というように各特定入賞口に区画数を対応させてもよく、あるいは単一の特定入賞口に入る毎に順次異なる区画数、例えば３→２→４→３→２と繰り返し変換させて行く構成でもよい。
　　　【００６４】
　また、特定入賞口を設けず、始動入賞口のみで区画数の設定と図柄表示器の始動停止（可変表示の）を行わせる構成としてもよい。
　　　【００６５】
　その他、タイマー手段により所定時間間隔毎に順次異なる区画数に繰り返し変換させる構成としてもよい。
　　　【００６６】
　　【発明の効果】
　本発明のパチンコ機によれば、遊技中において、特定の入賞口に入賞があると、または、特定の入賞口への入賞回数が所定数以上となると、当りに関する可変表示装置における特定の表示態様が出現する頻度が変更されるため、当りの抽選結果とは別に、すなわち、当りの有無に関係なく任意に当りの発生頻度を変えるようにすることができると共に、遊技者が期待感を持って遊技を行うことができる。
【図面の簡単な説明】
　　【図１】
　本発明の実施例のパチンコ機の入賞表示装置の正面図
　　【図２】
　図１の要部側断面図
　　【図３】
　図２の第１の図柄表示器の正面図
　　【図４】
　図２の第２の図柄表示器の正面図
　　【図５】
　図２の第３の図柄表示器の正面図
　　【図６】
　第１の図柄表示器から第２の図柄表示器あるいは第３の図柄表示器へ移行するパターンを示す波形図
　　【図７】
　第２の図柄表示器へ移行した状態を示す正面図
　　【図８】
　図７の要部側断面図
　　【図９】
　第３の図柄表示器へ移行した状態を示す正面図
　　【図１０】
　図９の要部側断面図
　　【図１１】
　第１の図柄表示器を移行しないパターンを示す波形図
　　【図１２】
　第１の図柄表示器を第２の図柄表示器へ移行するパターンを示す波形図
　　【図１３】
　第１の図柄表示器を第３の図柄表示器へ移行するパターンを示す波形図
　　【図１４】
　第１の図柄表示器を第２の図柄表示器へ移行し、さらに第３の図柄表示器へ移行するパターンを示す波形図
　　【図１５】
　図１４の第２の図柄表示器及び第３の図柄表示器に移行している時間の長さを異ならせたパターンを示す波形図
　　【図１６】
　本発明の他の実施例のパチンコ機の入賞表示装置の正面図
　　【図１７】
　本発明の別の実施例の入賞表示装置を備えたパチンコ機の概略ブロック図である。
　　【符号の説明】
　１　センター役物
　２　ベースプレート
　３　凹部
　４　窓孔
　５　レンズカバー
　６　入賞部
　７　第１のＬＥＤ表示灯
　８　第２のＬＥＤ表示灯
　９　第３のＬＥＤ表示灯
　１０　支持体
　１０ａ　外周縁
　１０ｂ　コーナー部
　１１　第１の図柄表示器
　１２　第２の図柄表示器
　１３　第３の図柄表示器
　１４　ドットマトリックス発光体
　１５　第１表示部
　１６　第２表示部
　１７　第３表示部
　１８　第４表示部
　１９　ドットマトリックス発光体
　２０　第１表示部
　２１　第２表示部
　２２　第３表示部
　２３　ドットマトリックス発光体
　２４　第１表示部
　２５　第２表示部
　２６　誘導孔
　２７　支持ピン
　２８　駆動軸
　３０　下部入賞装置
　３１　ベースプレート
　３２　大入賞口
　３３　開閉板
　３４　始動入賞口
　３５　表示灯
　３６　確率切換時検出手段
　３７　特定入賞球検出スイッチ
　３８　タイマー
　３９　確率切換手段
　４０　駆動表示体数切換手段
　４１　図柄表示器
　４２　第１表示体
　４３　第２表示体
　４４　第３表示体
　４５　第４表示体
　４６　当り判定手段
　４７　入賞口開放態様設定手段
　４８　入賞口開放手段
　４９　起動停止手段
　５０　始動入賞球手段
　Ｍ　モータ